(57)【要約】【目的】多量のマイナスイオンを吹出せる兼用機を簡単に実現できる、送風装置を使うマイナスイオン発生器に関する。【構成】枠体１には空気の吸込口２に連なる送風流路３と、送風流路３内に吸込口２から空気を供給する送風機４と、送風流路３の出口を構成する吹出口５とを設け、吹出口５付近の枠体１内には送風流路３に隣接して内部への空気流入を抑制したイオン発生室６を配置し、イオン発生室６の吹出口５付近には吹出口５よりも小さな出口を構成する開口７を設ける。イオン発生室６内には高電圧発生器８のマイナス電圧出力に接続する電極９を設け、送風流路３の吹出口５から吹出す送風空気流に巻き込んで、開口７から出てくるマイナスイオン風を枠体１の外方に誘導する。イオン発生室６内には送風流路３内に空気流を作り出す送風機４の風が直接吹き込まないから、送風流路３を持つ他の目的の機器との兼用ができるようになる。【選択図】          図１
2004150790.tif 000002
【特許請求の範囲】
【請求項１】
枠体１には高速の空気流を吹出す吹出口５を形成し、
この吹出口５の付近の枠体１には開口７を形成し、この開口７に連なる枠体１内には吹出口５から空気を吹出すための送風流路３から独立したイオン発生室６を設け、
このイオン発生室６にはイオン発生室６の空気を開口７から吹出し機能がない状態でマイナスイオン発生用の電極９の先端を開口７方向に向けて配置しており、高電圧発生装置８はプラス側を枠体１に接地して開口７付近を含むイオン発生室６壁をプラスに帯電し、かつマイナス側を電極９に接続して、電極９の先端とイオン発生室６壁との間でコロナ放電を行なわせ、
前記電極９付近のマイナスに帯電した空気は電極９の先端からプラスに帯電したイオン発生室６壁に向けてマイナスイオン風を形成し、
このマイナスイオン風の一部は開口７から枠体１外に出て、この開口７から出たマイナスイオンを吹出口５から吹出す高速空気流に巻き込んで枠体１から離れた位置まで届かせる送風装置を使うマイナスイオン発生方法。
【請求項２】
前記開口７は吹出口５に隣接して設置し、この吹出口５から吹出す高速の空気流は開口７を介して、前記イオン発生室６からマイナスイオン風を吸い出し、マイナスイオンを枠体１から離れた位置まで届かせることを特徴とする請求項１に記載の送風装置を使うマイナスイオン発生方法。
【請求項３】
前記イオン発生室６には空気流入用の小孔１４を形成しており、マイナスイオン風となって開口７から出るマイナスイオン化した空気に代って、この小孔１４からイオン発生室６にイオン化していない空気を流入させることを特徴とする請求項１又は２に記載の送風装置を使うマイナスイオン発生方法。
【請求項４】
枠体１には空気の吸込口２に連なる送風流路３と、該送風流路３内に吸込口２から空気を供給する送風機４と、該送風流路３の空気流が吹出す出口を構成する吹出口５とを設け、前記送風機４によって強制送風される空気を室内に向けて吹出口５から吹出す送風装置において、
吹出口５付近の枠体１内には送風流路３に隣接して内部への空気流入を抑制したイオン発生室６を配置し、該吹出口５付近にはこの吹出口５よりも小さなイオン発生室６の出口を構成する開口７を設け、該イオン発生室６内には枠体１内に設置した高電圧発生器８のマイナス電圧出力に接続する電極９を設けると共に、該送風流路３の吹出口５から吹出す送風空気流に巻き込んで、前記開口７から出てくるマイナスイオン風を枠体１の外方に誘導することを特徴とする送風装置を使うマイナスイオン発生装置。
【請求項５】
前記開口７は送風流路３の吹出口５に隣接して配置すると共に、該送風流路３から吹出す送風空気流は前記開口７からイオン発生室６内のマイナスイオン風を枠体１の外方に巻き込み誘導することを特徴とする請求項４に記載の送風装置を使うマイナスイオン発生装置。
【請求項６】
空気流入を抑制した前記イオン発生室６には空気流入用の小孔１４を形成し、該小孔１４は開口７から枠体１外に出るマイナスイオン風に代って、新鮮空気がイオン発生室６に流入することを特徴とする請求項４又は５に記載の送風装置を使うマイナスイオン発生装置。
【請求項７】
前記イオン発生室６は送風流路３以外の枠体１内の空間で構成し、枠体１の構成部材の組み立て隙間を前記空気流入用の小孔１４とした請求項６に記載の送風装置を使うマイナスイオン発生装置。
【請求項８】
前記イオン発生室６は開口７に向けて電極９を突設したベース板６ａと、電極９を囲うように周囲に配置した側壁６ｂと、一方の側壁６ｂに隣接して開口７を形成する前板６ｃとによって構成し、前記開口７側の側壁６ｂが送風流路３壁に隣接もしくは一体となっている請求項４乃至７のいずれか１項に記載の送風装置を使うマイナスイオン発生装置。
【請求項９】
前記送風流路３の入口側に送風機４を配置し、該送風機４の吹出側の送風流路３内には熱源１０を配置し、前記送風流路３は温風暖房機の送風流路３であることを特徴とする請求項４乃至８のいずれか１項に記載の送風装置を使うマイナスイオン発生装置。
【請求項１０】
前記送風流路３内に送風機４を配置し、該送風機４の吸込側に位置する送風流路３の入口もしくは流路内にフィルター１１を配置し、前記送風流路３は空気清浄機の送風流路３であることを特徴とする請求項４乃至８のいずれか１項に記載の送風装置を使うマイナスイオン発生装置。
【請求項１１】
前記枠体１とイオン発生室６は合成樹脂を素材として形成したことを特徴とする請求項４乃至１０のいずれか１項に記載の送風装置を使うマイナスイオン発生装置。
【発明の詳細な説明】
【０００１】
【産業上の利用分野】
この発明は、吹出口から空気を強制吹出しする送風機能を持った機器に、マイナスイオン発生機能を付加するためのマイナスイオン発生方法及びその発生装置に関するものである。
【０００２】
【従来の技術】
マイナスイオン発生器の枠体には空気の吸込口と吹出口を設け、この吸込口から吹出口との間の枠体内には送風流路が形成されている。この送風流路には送風機が備え付けられており、この送風機で送られる空気が吹出口から強制的に吹出すようになっている。このように構成される送風流路には、高電圧発生器のマイナス電圧出力に接続する電極が設置されており、一方、高電圧発生器のプラス電圧出力は高電圧発生器の本体もしくは高電圧発生器が取付けられるマイナスイオン発生器の枠体にアースされることにより、枠体と同電位の送風流路壁がプラスに帯電するから、送風流路壁と電極との間で火花を伴わないコロナ放電が発生する。
【０００３】
このため、電極付近の送風流路内の空気はマイナスイオン化され、このマイナスイオン化した空気は、送風機によって作られた空気流によって送風流路を経て枠体前方に連続して吹出すから、多量のマイナスイオンを発生するマイナスイオン発生器が構成できる。
【０００４】
送風流路内で発生したマイナスイオンは、送風機で吹き込まれた空気の中のプラスイオンに触れて消滅し、また、プラスに帯電した送風流路壁に触れて消滅するから、実際に吹出口から吹出すマイナスイオン量は電極付近と比べて少なくなる。更に、電極には枠体との間に高電圧がかかっているから、人の手が触れると事故を発生させる恐れがあり、人の手が触れないように吹出口にはガードやルーバが備え付けられる。しかし、このガードやルーバも枠体と一緒にプラスに帯電しており、ガードやルーバに触れたマイナスイオンは消滅することになる。従って、マイナスイオン発生器では送風流路内のどの位置に電極を設置しても多量のマイナスイオンが得られるのではなくて、適宜選択した最良位置に電極を取付けることによって多量のマイナスイオンが放出できるようになる。
【０００５】
【発明が解決しようとする課題】
このように、電極から発生したマイナスイオンは吹出口を出る前にかなりの部分が消滅してしまうから、電極取付け位置の選択は難しく、空気調和機などの既設の送風流路に電極を取付けて、多量のマイナスイオンを吹出せる兼用機を実現することは難しい。
【０００６】
即ち、送風装置の送風流路内に電極を取付けて、マイナスイオン発生器を構成することは、送風流路の形状を選択し、電極を適宜選択した最良位置に取付ける必要がある。そして、発生したマイナスイオンの減衰を防ぐために、多量のマイナスイオンを放出するには送風流路の吹出口付近に電極を取付けたいが、この位置では取扱者の手や指が電極に触れる恐れがあって危険も大きくなる。この危険を防ぐために吹出口にガードやガードに代る吹出し方向を変更できるルーバを取付けたときには、この部品はプラスに帯電しているからマイナスイオンが消滅しやすい。
【０００７】
特に既設の空気調和機などの送風装置を流用して、この送風流路に電極を取付ける兼用機では、送風流路の形状やルーバなどの構成が決定してしまっているから、多量のマイナスイオンを放出することが可能な電極位置の決定は非常に難しいのが現実であった。
【０００８】
【課題を解決するための手段】
この発明は上記課題を解決するもので、枠体１には空気の吸込口２に連なる送風流路３と、該送風流路３内に吸込口２から空気を供給する送風機４と、該送風流路３の空気流が吹出す出口を構成する吹出口５とを設け、前記送風機４によって強制送風される空気を室内に向けて吹出口５から吹出す送風装置において、吹出口５付近の枠体１内には送風流路３に隣接して内部への空気流入を抑制したイオン発生室６を配置し、該吹出口５付近にはこの吹出口５よりも小さなイオン発生室６の出口を構成する開口７を設け、該イオン発生室６内には枠体１内に設置した高電圧発生器８のマイナス電圧出力に接続する電極９を設けると共に、該送風流路３の吹出口５から吹出す送風空気流に巻き込んで、前記開口７から出てくるマイナスイオン風を枠体１の外方に誘導することを特徴とする。
【０００９】
また、前記開口７は送風流路３の吹出口５に隣接して配置すると共に、該送風流路３から吹出す送風空気流は前記開口７からイオン発生室６内のマイナスイオン風を枠体１の外方に巻き込み誘導することによって、多量のマイナスイオンを放出することができる。
【００１０】
また、空気流入を抑制した前記イオン発生室６には空気流入用の小孔１４を形成し、該小孔１４は開口７から枠体１外に出るマイナスイオン風に代って、新鮮空気がイオン発生室６に流入させたから、新たに流入した空気が連続してマイナスイオン化することができた。
【００１１】
また、前記イオン発生室６は送風流路３以外の枠体１内の空間で構成し、枠体１の構成部材の組み立て隙間を前記空気流入用の小孔１４としたから、特別に小孔を設けなくとも連続してマイナスイオンを流出させることができる。
【００１２】
また、前記イオン発生室６は開口７に向けて電極９を突設したベース板６ａと、電極９を囲うように周囲に配置した側壁６ｂと、一方の側壁６ｂに隣接して開口７を形成する前板６ｃとによって構成し、前記開口７側の側壁６ｂが送風流路３壁に隣接もしくは一体にすることで、空気流入を抑制したマイナスイオンの発生室を構成できる。
【００１３】
また、前記送風流路３の入口側に送風機４を配置し、該送風機４の吹出側の送風流路３内には熱源１０を配置し、前記送風流路３は温風暖房機の送風流路３とすることで、温風暖房機として利用できるマイナスイオン発生器を構成した。
【００１４】
更に、前記送風流路３内に送風機４を配置し、該送風機４の吸込側に位置する送風流路３の入口もしくは流路内にフィルター１１を配置し、前記送風流路３は空気清浄機の送風流路３とすることで、空気清浄機として利用できるマイナスイオン発生器を構成した。
【００１５】
加えて、前記枠体１とイオン発生室６は合成樹脂を素材として構成すれば、機器の枠体を成形するときにイオン発生室が一体に成形することができる。
【００１６】
【作用】
枠体１内に構成した送風流路３の吹出口５から室内に向けて強い空気流があると、この空気流は吹出口５の周囲の枠体１の前板付近の空気を巻き込んで、吹出空気流と一緒に前方に吹出している。
【００１７】
この発明では吹出口５に隣接して送風流路３とは独立してイオン発生室６を設けており、このイオン発生室６の開口７を吹出口５に隣接させて、吹出口５から吹出す空気流による巻き込み空気流が発生する位置に設けている。
【００１８】
このため、電極９を高電圧発生器８のマイナスの高電圧に接続すると、イオン発生室６内の空気はマイナスイオン化しているから、開口７の前方の空気が巻き込み空気流となって吹出口５の前方に向かう時に、開口７から出てくるマイナスイオン風や、巻き込み空気流によって、イオン発生室６の開口７から吸い出されたマイナスイオンは、吹出口５から吹出す空気と共に室内に拡散する。
【００１９】
このようにイオン発生室６内には、送風流路３内に空気流を作り出す送風機４の風が直接吹き込まないから、送風流路３を持つ他の目的の機器との兼用が簡単にできる。
【００２０】
【実施例】
図に示すように送風装置に付設するマイナスイオン発生器の実施例によってこの発明を説明すると、１は送風装置の枠体、２は枠体１の背面に配置されて室内空気を取り入れる吸込口、５は枠体１の前面に開口によって形成した吹出口、３は枠体１の背面の吸込口２から枠体１の前面の吹出口５に向かう流路を枠体１内に形成する送風流路である。
【００２１】
４は枠体１の背面に位置する送風流路３の入口側の吸込口２に設けた送風機であり、送風機４を運転すると室内の空気は吸込口２から吸い込まれて送風流路３を通過し、送風流路３の出口側に位置した吹出口５から吹出すことになる。
【００２２】
図１に示す実施例の送風装置は温風機を構成したもので、１０は送風流路３の途中に配置した電気発熱体で構成する熱源、１１は吸込口２の入口側に配置して熱源に埃の侵入を防ぐフィルター、１２は運転操作を行なう操作板、１３は操作板１２に組み込まれる運転スイッチであり、操作板１２に組み込まれた運転スイッチ１３を入り状態にすると、送風機４及び熱源１０への通電が開始する。
【００２３】
前記送風機４が運転を開始すると吸込口２より室内空気が吸い込まれ、また、送風流路３内の熱源１０に通電が始まると、この熱源１０は高温になるから送風機４によって送風流路３に送られた室内空気は熱源１０を通過する時に温風となり、枠体１の前面開口部を形成する吹出口５から温風を吹出す温風機が構成できる。
【００２４】
６は吹出口５付近の送風流路３に隣接して配置すると共に内部への空気の流入を抑制するように構成したイオン発生室、６ａはイオン発生室６のベース板、９は先端をイオン発生室６内に位置させてベース板６ａに取付けた電極、６ｂはイオン発生室６内の電極９を囲むように周囲に配置した側壁、６ｃはイオン発生室６の前面に位置する前板、７はイオン発生室６の前板６ｃに形成してイオン発生室６の出口を構成する開口であり、この開口７は開口７前方の空気が送風流路３の吹出口５から吹出す空気流に巻き込まれて室内に拡散できる位置に設けており、当然のことながら、吹出口５と開口７とをならべて配置したときが最も巻き込み力が強くなる。
【００２５】
８は枠体１内に配置された高電圧発生器であり、該高電圧発生器８はマイナス出力が前記電極９に接続され、プラス出力が高電圧発生器８の本体や高電圧発生器８を設置した枠体１にアースされており、この枠体１と同電位となるイオン発生室６を構成するベース板６ａや側壁６ｂや前板６ｃはプラスに帯電する。
【００２６】
前記操作板１２に組み込まれる運転スイッチ１３を入り状態とすると、高電圧発生器８にも通電されて、高電圧発生器８のマイナス電圧出力は接続された電極９に送られる。この電極９の形状は非常に細い針形状となっていることから、プラス電圧出力がアースされてプラスに帯電しているイオン発生室６の壁面との間で強力なコロナ放電現象が発生する。このように電極９付近で発生するコロナ放電現象によって、電極９付近の空気はマイナスイオン化し、イオン発生室６内にマイナスイオン化された空気が充満することになる。
【００２７】
即ち、このイオン発生室６の内部は空気流入が抑制されており、送風機などによる強制的な空気の移動はないが、コロナ放電し易い方向や、プラスに帯電した壁面に向かうマイナスイオン風は発生しており、マイナスイオン化した空気は電極９から離れて行くので、電極９付近に残ったイオン化していない空気がマイナスイオン化するから、イオン発生室６にはマイナスイオン化した空気が充満することができる。そして、この中で電極９から離れて前板６ｃの開口７付近に向かうマイナスイオン風の一部は開口７から外方に出てくる。
【００２８】
また、物体に帯電した静電気は一般にエッジ効果によって端部に電荷が蓄積され易い特性があり、イオン発生室６の壁面に帯電したプラスの電荷は、唯一の端部である開口７の周縁が他の部分よりも強くプラスに帯電すると考えられる。そして、マイナスに帯電する電極７の先端をプラスに強く帯電した開口７方向に配置することによって、イオン発生室６の壁との間で起こるコロナ放電によるイオン風は開口７方向が強くなり、多量のマイナスイオンが開口７方向に集まるので、開口７から外に出るマイナスイオン化した空気も多くなり、容易に多量のマイナスイオンを開口７の外に拡散させることができる。
【００２９】
送風機４によって吸込口２より吸い込まれた室内空気が送風流路３を通過して枠体１前面の吹出口５から吹出すときに、送風空気流は流速が速いから吹出口５の周囲の室内空気も巻き込んで、送風空気流と一緒に前方に送り出している。この発明では送風流路３の吹出口５付近にイオン発生室６の開口７を配置したから、イオン発生室６に充満しているマイナスイオン化された空気が開口７から出てきて、また、開口７付近の前板６ｃに向かうマイナスイオン風の流れが開口７から外部に出てくると、この開口７から外に出たマイナスイオン化した空気は送風機４により吹出口５から吹出される空気に巻き込まれて強制的に室内に広く拡散する。
【００３０】
この発明では従来のように送風機４による送風流路３を備えているものの、この送風流路３内に電極９を備え付けるのではなく、送風流路３から独立した空気流入を抑えたイオン発生室６内に電極９を備えている。そして、内部に強制的な空気流のないイオン発生室６であっても電極９から離れたイオン発生室６壁の前板６ｃの開口７付近までマイナスイオン化した空気がイオン風を作って移動し、このイオン風によって一部は開口７から出てくることを見出したものである。この知見に基づいて、この開口７を送風流路３の吹出口５の付近に設けることによって、この開口７から出て来る電極９付近でマイナスイオン化した空気を、空気流入を抑制したイオン発生室６であっても、はじめて室内に広く拡散することができたものである。また、拡散空気流を作る部分と、マイナスイオンを作る部分を別途構成して単独に性能アップができるようになったから、大量にマイナスイオンが発生できるマイナスイオン発生装置が非常に簡単にできるようになった。
【００３１】
また、イオン発生室６は空気の流入が抑制されて強制的な空気流入がないから、イオン発生室６へ流入する空気量が極めて少なく、強制的にイオン発生室６に送風するときのような多量の埃が侵入して電極９に付着することもなく、電極９に埃が付着したときに起こるマイナスイオン発生量が極端に減少するトラブルはほとんど発生しなくなった。
【００３２】
また、イオン発生室６の開口７は吹出口５よりも小さくして広いイオン発生室６を構成し、このイオン発生室６内に電極９を配置したから、使用者の手や指が電極９に触れることができなくなり安全性が高まった。
【００３３】
更に、このイオン発生室６は空気の流入を抑制しているから、イオン発生室６内の空気はイオン風による移動以外は強制的に移動せず、プラスに帯電したイオン発生室６壁に触れてマイナスイオンが消滅してしまう量が少なく、マイナスイオンが充満したイオン発生室６の空気の一部が開口７から出て、送風流路３の吹出口５から吹出す空気に混じるだけでも、高濃度のマイナスイオンが室内に放出できるようになった。
【００３４】
更に、イオン発生室６は送風装置から直接空気が送られる構造ではなく、イオン発生室６と送風流路３とは独立した構造となっているから、どのような目的の送風流路３であってもマイナスイオン発生システムを組み込むことが可能となり、利用範囲が広がるものである。
【００３５】
室内空気が送風流路３を通過して流速が速い空気流となって枠体１前面の吹出口５から吹出すときに、巻き込まれる吹出口５の周囲の室内空気流が多くなる。このため、開口７を送風流路３の吹出口５に隣接して配置したときには、この巻き込み空気流の影響が開口７の前面に強く現れ、マイナスイオン風によって開口７から出てくるマイナスイオン化した空気だけでなく、開口７付近のイオン発生室７内のマイナスイオン風も吸い出されて外方へ巻き込み誘導することができるから、多量のマイナスイオン化した空気を送風機４の風に乗せて室内広く拡散させることができた。
【００３６】
この発明のイオン発生室６は前記するように内部空間への空気流入を抑制して開口７に向けた強制空気流が形成されない構造となっており、１４は側壁６ｂの一部に設けたイオン発生室６内と外部とを連通する小孔であり、イオン発生室６は送風機４などによる強制的な空気流が形成される構成ではなく、小孔１４を介して自然対流による空気の移動があるだけである。また、この小孔１４から入る空気は開口７からマイナスイオン風として流出するマイナスイオン化した空気を補う働きがあり、もし、ベース板６ａや側壁６ｂなどを組付け時に隙間ができるようなら、あえて小孔１４は必要としない。また、密閉されたイオン発生室６であっても、開口７の形状によって開口７付近の巻き込み力に差ができるときには、この開口７の巻き込み力の弱い部分から空気の補充をしながら、開口７の他の部分ではマイナスイオンを流出させることができる。
【００３７】
即ち、空気流入を抑制したイオン発生室６内のマイナスイオンを含んだ空気がイオン風によって開口７付近に充満し、開口７から外に出るためには何れかの場所からイオン発生室６内に空気流入があったほうが好ましい。この発明ではイオン発生室６の壁に小孔１４を設けたから、マイナスイオン風によって、また、吹出口５から吹出す空気流に巻き込まれて、マイナスイオン化した空気が開口７から出ようとすれば、直ちに小孔１４から補充することができる。このため、大きな抵抗なくマイナスイオンが開口７から外に出てくるので、簡単に多量のマイナスイオンを室内に拡散できるようになった。
【００３８】
更に、実施例のマイナスイオン発生器が他の機器と併用するのではなく、単独のマイナスイオン発生器であるときには、枠体１がマイナスイオン発生器の枠体を兼用し、送風流路３以外の枠体１内をイオン発生室６とすることができ、側壁６ｂや前板６ｃは枠体１の側板や前面板で構成されることになる。また、前記小孔１４は枠体１を組立てるときの各構成部材の組み立て部に形成される隙間であってもよい。したがって、この発明は他の機能を有する機器に付設するマイナスイオン発生器としてだけではなく、単機能のマイナスイオン発生器として実施してもよく、この場合送風流路３とイオン発生室６とが並設されるから、簡単な構成で奥行きの小さなコンパクトなマイナスイオン発生器が実現できる。
【００３９】
一方、図示する実施例のイオン発生室６は送風装置の送風流路３にならべて配置され、具体的には側壁６ｂの一部が送風流路３の壁と兼用している。また、イオン発生室６にはこの送風流路３側にスリット状の開口を形成しながらその他を封鎖する前板６ｃを設けたから、イオン発生室の開口７は前板６ｃの送風流路３側に位置しており、開口７と送風流路３の吹出口５とが接近した並列状態に配置されることになる。
【００４０】
したがって、送風流路３の吹出口に並列するイオン発生室６の内部空間よりも小さなスリット状のイオン発生室６の開口７が容易に構成できるようになり、送風流路３を持つ各種の機器に、簡単にこの発明のマイナスイオン発生器を取付けることができるようになった。
【００４１】
更に、送風流路３を持つ機器として、従来では送風流路３に熱源１０を配置する温風暖房機が多数存在しているが、送風流路３内に配置した熱源１０をガードするためには吹出口５にルーバの取付けが必要であるから、従来のように送風機４の風の送風流路３内に電極９を取付けて、マイナスイオン発生器を兼用させるときには、熱源１０やルーバの位置によって大量のマイナスイオンを発生させる適当な電極９の取付け位置が見つからず、兼用機の実用化は困難であった。しかしながら、この発明の構造によればどのような温風暖房機にも確実にマイナスイオン発生器を取付けできるようなった。
【００４２】
また、送風流路３に配置するフィルター１１として、非常に微細な花粉やタバコの煙が捕集できるフィルターを使う空気清浄機では、フィルター１１が送風機４の吸引側に取付けられるから、温風暖房機に比べて電極９の取付け可能な範囲が広くなり、従来でも送風流路３の適当な位置に電極９を配置して、マイナスイオン発生器を兼用した実施例があるが、空気清浄機といえども電極９の取付け位置を決定するには数多くの実験が必要である。このため、空気清浄機にこの発明の構造を組み合わせてマイナスイオン発生器を構成するときには、このような実験は性能確認だけでよく、特別な工夫も必要とせずに簡単に兼用機が実現できるようになる。
【００４３】
更に、図２に示す空気清浄機の実施例などのように、枠体１を合成樹脂で構成する実施例ではイオン発生室６も合成樹脂で一体成形されることになる。このため、送風流路３やイオン発生室６は枠体１の成形時に簡単に作り出すことができると共に、高電圧発生器８の枠体にアースしたプラスの電荷は一体成形のイオン発生室６の壁面をプラスに帯電させるから、特にプラスの高電圧をイオン発生室６の壁に接続する必要がなくなり、マイナスの高電圧端子は高電圧発生器８の本体にアースすればよく、一方の高電圧の導電線が不要となる。
【００４４】
【発明の効果】
この発明は吹出口５付近の送風流路３から独立して空気流入を抑えたイオン発生室６を設け、該イオン発生室６の出口を構成する開口７は、この開口７の前方の空気が送風流路３から吹出す空気流に巻き込まれて拡散できる位置に配置したから、イオン発生室６内でマイナスイオン化した空気は開口７から出てきて送風流路３から吹出す送風空気流に巻き込まれ、枠体１の前方に広く拡散するようになる。このため、どのような目的の送風流路３であってもマイナスイオン発生器との兼用機が簡単に実現できるようになった。
【００４５】
また、このイオン発生室６は空気流入を制限して空気の移動を抑え、強制的に空気がイオン発生室６を吹き抜ける構成ではないから、イオン発生室６内に多量の埃が侵入せず、電極９に付着する埃によるトラブルを激減できた。
【００４６】
また、送風流路３の吹出口５に隣接してイオン発生室の開口７を配置すると、吹出口５から吹出す空気流の影響が開口７の前面に強く現れて、マイナスイオン風によって開口７から出てくるマイナスイオン化した空気だけでなく、開口７付近のイオン発生室７内のマイナスイオン風も吸い出され、多量のマイナスイオン化した空気を室内広く拡散させることができる。
【００４７】
また、内部空間に空気流入を抑制したイオン発生室６に外部から空気流入可能とする小孔１４を設けることによって、イオン発生室６内に流入できる空気量が制御できるようになり、マイナスイオン化した空気が開口７から外に出ると、イオン発生室６にイオン化していない空気が代って流入でき、マイナスイオン化した空気が安定して開口７から外に出てくるようになった。
【００４８】
また、マイナスイオン発生器が兼用機では単機能のときには、枠体１内には送風流路３を形成し、この送風流路３以外の枠体１内をイオン発生室６とすることができる。この場合枠体１内には送風流路３とイオン発生室６とを並設した簡単な構成で、奥行きの小さなコンパクトなマイナスイオン発生器を作り出すことができるようになる。
【００４９】
また、送風流路３の壁がイオン発生室６の側壁６ｂを兼用したり、イオン発生室６の前板６ｃと送風流路３壁との隙間によって開口７を形成すれば、イオン発生室６の内部空間よりも狭い幅を持つ開口７が送風流路３の開口部に並列して簡単に構成できるようになり、送風流路３を持つ各種の機器に更にマイナスイオン発生器が取付けやすくなる。
【００５０】
更に、前記送風流路３内に熱源１０を配置した温風暖房機では、電極９の取付け位置の制限によって、送風流路３を直接使ったマイナスイオン発生器はほとんど実用化できなかったが、この発明の構成によれば非常に簡単にマイナスイオン発生器を組み込むことができ、温風暖房機との兼用機が実現できた。
【００５１】
また、送風流路３にフィルター１１を配置した空気清浄機においても、従来よりも簡単にマイナスイオン発生器を組み込むことができ、マイナスイオン発生器と空気清浄機との兼用機が簡単に実現できるようになった。
【００５２】
更に、枠体１を合成樹脂で構成するときにはイオン発生室６も合成樹脂で一体成形することができ、枠体１内の送風流路３やイオン発生室６は枠体１の成形時に簡単に作り出すことができると共に、枠体１にアースした高電圧発生器８のプラスの電荷は枠体１にアースさせればイオン発生室６壁をプラスに帯電できるようになり、マイナスイオン発生器の構造が簡単になるものである。
【図面の簡単な説明】
【図１】この発明の温風暖房機の実施例を示す断面図である。
【図２】この発明の空気清浄機の実施例を示す断面図である。
【符号の説明】
１    枠体
２    吸込口
３    送風流路
４    送風機
５    吹出口
６    イオン発生室
６ａ  ベース板
６ｂ  側壁
６ｃ  前板
７    開口
８    高電圧発生器
９    電極
１０    熱源
１１    フィルター
１４    小孔
【図１】
2004150790.tif 000003
【図２】
2004150790.tif 000004